(57)【特許請求の範囲】
【請求項１】
周囲を断熱し、内部に発熱機器が設置された発熱機器収納室の室内を空調機にて設定温度に維持する発熱機器収納室の換気冷房システムにおいて、発熱機器収納室内の壁部および天井部の室内側に一定間隔を隔てて高熱伝導性材料よりなる仕切材を並設して中空層よりなる中空壁および中空天井を形成して冷却用通気層を設け、該冷却用通気層内に外気を導入・通気可能にせしめて成ることを特徴とする発熱機器収納室の換気冷房システム。
【請求項２】
冷却用通気層に冷却用ファンを設けた請求項１記載の発熱機器収納室の換気冷房システム。
【請求項３】
冷却用通気層内に熱交換用フィンを設けた請求項１または２記載の発熱機器収納室の換気冷房システム。
【請求項４】
冷却用通気層内に外気温度センサーを設けると共に、室内に室内空気温度センサーを設け、該外気温度センサーにて検知した外気温度が室内空気温度センサーにて検知した室内空気温度より低い場合に、冷却用通気層内への外気導入を増加させ、逆に外気温度が室内空気温度より高い場合に、冷却用通気層内への外気導入を停止または減少するように制御する請求項１ないし３いずれかに記載の発熱機器収納室の換気冷房システム。
【請求項５】
天井部に設けた冷却用通気層を北側壁部に設けた冷却用通気層と連通させた請求項１ないし４いずれかに記載の発熱機器収納室の換気冷房システム。
【請求項６】
天井部に設けた冷却用通気層と壁部に設けた冷却用通気層を独立させ、夫々別に外気を導入・通気する請求項１ないし４いずれかに記載の発熱機器収納室の換気冷房システム。
【請求項７】
発熱機器からの排熱を天井部に設けた冷却用通気層の室内側に導き、再度室内内部に循環させる風路を設けた請求項１〜６いずれかに記載の発熱機器収納室の換気冷房システム。
【請求項８】
風路内に循環ファンを設けた請求項７記載の発熱機器収納室の換気冷房システム。
【発明の詳細な説明】
【０００１】
【発明の属する技術分野】
この出願の発明は、発熱機器収納室の換気冷房システムに関するものである。さらに詳しくは、この出願の発明は、低温の外気と発熱機器収納室内の空気を効率的に熱交換して室内を冷却することによって、空調機の負担を軽減することができ、空調機の運転時間の短縮や運転費用の削減をはかることができ、かつ外気を導入する時に室内に塵、埃等が侵入するおそれもない発熱機器収納室の換気冷房システムに関するものである。
【０００２】
【従来の技術】
従来、携帯電話の無人基地等において、例えば、図２に例示したように、周囲を断熱材等にて断熱し、内部に制御機器等のような熱の発生を伴なう発熱機器（１）が設置された発熱機器収納ハウス等の発熱機器収納室（２）の室内を冷房装置等の空調機（３）にて常時一定温度または所定温度以下の設定温度に維持する発熱機器収納室（２）の換気冷房システムが実施されている。
【０００３】
また、上記換気冷房システムにおいては、発熱機器収納室（２）に、外気を室内へ導入する外気導入口（４）および室内空気を外部へ排出する排気口（５）を形成し、排気口（５）に換気扇等の換気冷却用ファン（６）を設けると共に室内に室内空気温度センサー（７）を設け、該室内空気温度センサー（７）にて検知した室内温度が空調機（３）の不調により設定値以上になった異常時に、換気冷却用ファン（６）を作動させて外気を導入し、室内温度の上昇を抑えると共に監視センター（８）に連絡するようにしている。
【０００４】
【発明が解決しようとする課題】
しかしながら、上記従来の発熱機器収納室（２）の換気冷房システムにおいては、通常時は、空調機（３）のみで冷房しているので、外気温度が低い冬期、夜間等においても常時空調機（３）を作動させなければならず、従って、空調機（３）の負荷を軽減することができず、空調機（３）の運転時間の短縮や運転費用の削減をはかることができないという問題があり、かつ外気を導入する時に外気導入口（４）から室内に塵、埃等が侵入することがあるという問題があった。
【０００５】
この出願の発明は、以上の通りの事情に鑑みてなされたものであり、上記の問題点を解消し、低温の外気と発熱機器収納室内の空気を効率的に熱交換して室内を冷却することによって、空調機の負担を軽減することができ、空調機の運転時間の短縮や運転費用の削減を図ることができ、かつ外気を導入する時に室内に塵、埃等が侵入するおそれもない発熱機器収納室の換気冷房システムを提供することを目的としている。
【０００６】
【課題を解決するための手段】
この出願の発明は、上記の課題を解決するためになされたものであって、第１の発明は、周囲を断熱し、内部に発熱機器が設置された発熱機器収納室の室内を空調機にて設定温度に維持する発熱機器収納室の換気冷房システムにおいて、発熱機器収納室内の壁部および天井部の室内側に一定間隔を隔てて高熱伝導性材料よりなる仕切材を並設して中空層よりなる中空壁および中空天井を形成して冷却用通気層を設け、該冷却用通気層内に外気を導入・通気可能にせしめて成ることを特徴とする発熱機器収納室の換気冷房システムを提供する。
【０００７】
また、第２の発明は、冷却用通気層に冷却用ファンを設けた前記の発熱機器収納室の換気冷房システムを、第３の発明は、冷却用通気層内に熱交換用フィンを設けた前記いずれかの発熱機器収納室の換気冷房システムを、第４の発明は、冷却用通気層内に外気温度センサーを設けると共に、室内に室内空気温度センサーを設け、該外気温度センサーにて検知した外気温度が室内空気温度センサーにて検知した室内空気温度より低い場合に、冷却用通気層内への外気導入を増加させ、逆に外気温度が室内空気温度より高い場合に、冷却用通気層内への外気導入を停止または減少するように制御する前記いずれかの発熱機器収納室の換気冷房システムを、第５の発明は、天井部に設けた冷却用通気層を北側壁部に設けた冷却用通気層と連通させた前記いずれかの発熱機器収納室の換気冷房システムを、第６の発明は、天井部に設けた冷却用通気層と壁部に設けた冷却用通気層を独立させ、夫々別に外気を導入・通気する前記いずれかの発熱機器収納室の換気冷房システムを、第７の発明は、発熱機器からの排熱を天井部に設けた冷却用通気層の室内側に導き、再度室内内部に循環させる風路を設けた前記いずれかの発熱機器収納室の換気冷房システムを、第８の発明は、風路内に循環ファンを設けた前記の発熱機器収納室の換気冷房システムを提供する。
【０００８】
【発明の実施の形態】
この出願の発明は、上記の通りの特徴をもつものであるが、以下、その実施の形態について説明する。
【０００９】
図１は、この出願の発明の一実施形態を例示した縦断面図である。
この出願の発明は、例えば、図１に例示したように、周囲を断熱材等にて断熱し、内部に制御機器等のような熱の発生を伴う発熱機器（１）が設置された発熱機器収納ハウス等の発熱機器収納室（２）の室内を冷房装置等の空調機（３）にて常時一定温度または所定温度以下の設定温度に維持する発熱機器収納室（２）の換気冷房システムにおいて、発熱機器収納室（２）内の壁部（９）および天井部（１０）の室内側に一定間隔を隔てて高熱伝導性材料よりなる仕切材（１１）を並設して中空層よりなる中空壁および中空天井を形成して冷却用通気層（１２）を設け、該冷却用通気層（１２）内に外気導入口（４）を介して矢印にて示す如く外気を導入して通気可能にせしめて成ることを特徴とする発熱機器収納室（２）の換気冷房システムに関するものである。
【００１０】
上記この出願の発明においては、外気温度が低い冬期や夜間において、冷却用通気層（１２）内に低温の外気を導入して通気させることによって、該低温の外気と発熱機器収納室（２）内の空気を効率的に熱交換して室内を冷却することができるので、空調機（３）の負担を軽減することができ、空調機（３）の運転時間を短縮することができると共に運転費用を削減することができ、かつ外気を発熱機器収納室（２）の室内に直接導入することなく冷却用通気層（１２）に導入して熱交換して室内を冷却するようにしているので、外気を導入する時に室内に塵、埃等が侵入するおそれもない。
【００１１】
また、この出願の発明においては、例えば、図１に例示したように、発熱機器収納室（２）の壁部（９）上方に冷却用通気層（１２）を構成せる排気口（５）を設け、該排気口（５）内に換気冷却用ファン等の冷却用ファン（１３）を設けた場合には、該冷却用ファン（１３）を駆動させることによって、冷却用通気層（１２）内への外気の導入・通気を特に効率的に行うことができる。
【００１２】
また、この出願の発明において、冷却用通気層（１２）の内周面または／および室内面に高熱伝導性材料よりなる熱交換用フィンを並設形成して設けた場合には、冷却用通気層（１２）内に導入・通気させた外気と発熱機器収納室（２）内の空気の熱交換効率を該熱交換用フィンによって向上させることができる。
【００１３】
また、この出願の発明において、例えば、図１に例示したように、冷却用通気層（１２）内の外気導入口（４）近傍に外気温度センサー（１４）を設けると共に、上記排気口（５）近傍の室内に室内空気温度センサー（７）を設け、該外気温度センサー（１４）にて検知した外気温度が室内空気温度センサー（７）にて検知した室内空気温度より低い場合に、冷却用ファン（１３）を駆動させたりする等、任意の方法によって、冷却用通気層（１２）内への外気導入を積極的に行って増加させ、逆に外気温度センサー（１４）にて検知した外気温度が室内空気温度センサー（７）にて検知した室内空気温度より高い場合に、冷却用ファン（１３）を停止させたり、外気導入口（４）を開閉ダンパにて閉じたりする等、任意の方法によって、冷却用通気層（１２）内への外気導入を停止または減少するように制御するようにした場合には、外気温度が低い冬期や夜間に冷却用通気層（１２）内への外気導入を増加させて外気と発熱機器収納室（２）内の空気との熱交換を積極的に行うことができると共に、外気温度が高い真夏の日射時等には一時的に冷却用通気層（１２）内への外気導入を停止または減少させて外気と発熱機器収納室（２）内の空気との熱交換を抑制することができるので、特に効率的に熱交換を行うことができる。
【００１４】
また、この出願の発明において、例えば図１に例示したように、天井部（１０）に設けた冷却用通気層（１２）を北側に面した壁部（９）に設けた冷却用通気層（１２）と連通させた場合には、日射による冷却用通気層（１２）内の温度上昇を抑制し、天井部（１０）の冷却用通気層（１２）の低温外気と発熱機器収納室（２）内の天井部（１０）に滞留し易い暖かい空気との熱交換を特に効率的に行うことができる。
【００１５】
また、この出願の発明において、天井部（１０）に設けた冷却用通気層（１２）と壁部（９）に設けた冷却用通気層（１２）を独立させ、夫々別に設けた外気導入口（４）および排気口（５）を介して外気を導入して通気するようにした場合には、低温の外気を日射や発熱機器収納室（２）内の空気の影響を受けずに天井部（１０）の冷却用通気層（１２）の低温外気と発熱機器収納室（２）内の天井部（１０）に滞留し易い暖かい空気との熱交換を特に効率的に行うことができる。
【００１６】
また、この出願の発明において、例えば、図１に例示したように、発熱機器（１）の上方にフード（１５）を設置することによって、発熱機器（１）から発生する高温の排熱を矢印にて示す如く天井部（１０）に設けた冷却用通気層（１２）の室内側に導き、再度発熱機器収納室（２）の室内内部（下方）に循環させる誘導用の風路（１６）を設けた場合には、発熱機器収納室（２）内の温度上昇に最も影響を及ぼす発熱機器（１）から発生する高温の排熱を発熱機器収納室（２）内全体に拡散することなく特に効率的に誘導して熱交換を行うことができる。
【００１７】
また、この出願の発明において、例えば、図１に例示したように、風路（１６）内に発熱機器（１）から発生する高温の排熱を強制的に誘導する循環ファン（１７）を設けた場合には、発熱機器（１）から発生する高温の排熱を循環ファン（１７）にて強制的に誘導して循環させることによって、特に効率的に熱交換を行うことができる。
【００１８】
なお、図１において、（１８）は、発熱機器収納室（２）の室内に雨水が侵入するのを防止するために排気口（５）の外側に設けた防雨カバー、（１９）は、換気冷房制御ボックス、（２０）は、換気冷房制御ボックス（１９）に設定されたプログラムに基いて空調機（３）、冷却用ファン（１３）および監視センター（８）を制御する制御系統を表わす。
【００１９】
また、冷却用通気層（１２）は、発熱機器収納室（２）の壁部（９）および天井部（１０）の全面に設けても良いし、必要に応じて、北側に面した壁部（９）および天井部（１０）全面等、一部の面に設けても良い。
【００２０】
また、この出願の発明は、以上の実施形態によって限定されるものではなく、発熱機器、空調機、冷却用ファン、循環ファンの種類、構造、個数ならびに室内空気温度センサー、外気温度センサーの種類等の細部については、様々な態様が可能であることはもちろんである。
【００２１】
【発明の効果】
以上詳しく説明した通り、この出願の発明によって、低温の外気と発熱機器収納室内の空気を効率的に熱交換して室内を冷却することによって、空調機の負担を軽減することができ、空調機の運転時間の短縮や運転費用の削減をはかることができ、かつ外気を導入する時に室内に塵、埃等が侵入するおそれもない。
【図面の簡単な説明】
【図１】この出願の発明の一実施形態を例示した縦断面図である。
【図２】従来例を例示した縦断面図である。
【符号の説明】
１  発熱機器
２  発熱機器収納室
３  空調機
４  外気導入口
５  排気口
６  換気冷却用ファン
７  室内空気温度センサー
８  監視センター
９  壁部
１０  天井部
１１  仕切材
１２  冷却用通気層
１３  冷却用ファン
１４  外気温度センサー
１５  フード
１６  風路
１７  循環ファン
１８  防雨カバー
１９  換気冷房制御ボックス
２０  制御系統
【図１】
0003736378.tif 000002
【図２】
0003736378.tif 000003